(57)【要約】【課題】苗の散水に要する時間を短縮し、高齢農業従事者にとって、より楽に散水作業をすることが可能な、苗床用散水器を提供する。【解決手段】終端が塞がれた筒状の水導入管２の長さ方向に順次複数の通水孔４−１，４−２、４−３を設け、通水孔の数に応じて、回動自在に筒状の通水孔を有する吐水部材６、１２、１３を水導入管２に嵌合し、該吐水部材に散水ヘッドを設けたことを特徴とする散水器１。【選択図】　図１
2004024075.tif 000002
【特許請求の範囲】
【請求項１】
終端が塞がれた筒状の水導入管の長さ方向に順次複数の通水孔を設け、通水孔の数に応じて、回動自在に筒状の通水孔を有する吐水部材を水導入管に嵌合し、該吐水部材に散水ヘッドを設けたことを特徴とする散水器。
【請求項２】
前記水導入管の通水孔と、吐水部材の通水孔が重なり合う位置に、水導入管と吐水部材に目印を設けたことを特徴とする請求項１に記載の散水器
【請求項３】
前記水導入管の通水孔と、吐水部材の通水孔が重なり合う位置でクリック感を生ずるクリック発生手段を設けたことを特徴とする散水器。
【請求項４】
吐水部材に散水圧力を調節する圧力調節手段を設けたことを特徴とする請求項１ないし請求項３のいずれか１項に記載の散水器。
【発明の詳細な説明】
【０００１】
【発明の属する技術分野】
本発明は、苗等への散水に適した散水器に関するものである。
【０００２】
【従来の技術】
トマト、キュウリ、ナス等の野菜を栽培する場合、播種後定植までに苗をポットに移植し、定期的に苗に散水する必要があった。ポットの苗に散水する方法として、従来以下のような方法が知られていた。
【０００３】
すなわち、一つ一つのポットの苗にジョウロ等のノズルから散水しながら、順に移動する方法が知られている。
【０００４】
上記のような従来の散水方法では、苗の数が多いほど移動距離が長くなり、散水に要する時間が必要になる。例えば、約１万鉢程度の苗に散水するためには、約３時間要してしまう。
【０００５】
近年において、農業従事者の高齢化が進み、かかわる高齢農業従事者にとって、約３時間ものあいだ、同一姿勢で散水作業を続けるのは、極めて辛い作業となってしまう。
【０００６】
【発明が解決しようとする課題】
本発明が解決しようとする課題は、苗の散水に要する時間を短縮し、高齢農業従事者にとって、より楽に散水作業をすることが可能な、苗床用散水器を提供することにある。
【０００７】
【課題を解決するための手段】
本発明者は、鋭意研究を重ねた結果、散水器のヘッド部分に改良を加えることにより上記課題を解決できることを見出し、本発明を完成するに至った。
【０００８】
すなわち、本発明は、端が塞がれた筒状の水導入管の長さ方向に順次複数の通水孔を設け、通水孔の数に応じて、回動自在に筒状の通水孔を有する吐水部材を水導入管に嵌合し、該吐水部材に散水ヘッドを設けたことを特徴とする散水器に関するものである。
【０００９】
【発明の実施の形態】
本発明は、複数の散水ヘッドを設けることにより、苗ポットに散水する時間を大幅に短縮し、苗の散水に要する労力を軽減しようとするものである。
【００１０】
以下、図面に基づいて、本発明を説明する。
【００１１】
図１は、本発明の散水器１の分解斜視図であり、図３は本発明の散水器の１の全体斜視図である。
【００１２】
２は終端が塞がれた構造の筒状の水導入管である。水導入管２の終端を塞ぐ構造は、図１に示したようにキャップ状構造物３で閉塞すればよい。キャップ状構造物３で閉塞することにより、後述の末端側の吐水部材６を止めることができる。
【００１３】
また、吐水部材（６、１２、１３）が、水導入管２から脱落しないように、散水器１の他の末端にキャップ１４等を設ける。
【００１４】
水導入管２には、複数の通水孔（４−１、４−２、４−３）が中心軸をずらして設けられている。図１では、通水孔の数が３個の例を示しているが、通水孔の数は、３個に限定されるものではなく、使用目的に応じて適宜選択すればよいが、作業効率を考慮すると、３個が最適である。
【００１５】
水導入管２に設けた通水孔（４−１，４−２，４−３）の数に応じて、吐水部材（６、１２、１３）を、水導入管２に回動自在に嵌入する。なお、吐水部材（６，１２、１３）と水導入管２との水漏れを防ぐために、オーリング（５−１、５−２、５−３、５−４）のような止水部材で止水する。
【００１６】
図２は、吐水部材６の拡大断面図である。吐水部材６は、水導入管２と嵌合し回動自在に動かすための筒状部と、通水孔７と、吐水部８と、散水孔１０を有する散水ヘッド部９からなるものである。筒状部７の内径と、水導入管２の外径は、水が漏れないように密着するように設定すればよいが、吐水部材６と水導入管２は回動自在にする必要があるため、水導入管２の外径より筒状部７の内径を若干大きくすることが好ましい。その場合、水導入管２と吐水部材（６、１２、１３）との止水は例えばオーリング（５−１、５−２、５−３、５−４）により行えばよい。
【００１７】
なお、散水孔１０を有する散水ヘッド部９を設けた吐水部材６の例を例示したが、散水構造はこの例に限定されるものではなく、散水ヘッド部９等に弁等の圧力調整手段を設け、散水圧力を低減して、苗ポットの土が掘り返されるのを防止してもよい。
【００１８】
図２は、吐水部材６の拡大断面図を示したものであるが、その他の吐水部材１２および１３も、同様の構造を有しているため、図示による説明を省略する。
【００１９】
水導入管２に嵌入した吐水部材６を回動し、水導入管２に設けた通水孔４−１と、吐水部材６に設けた通水孔８が重なり合うと、水は、水導入管２の通水孔４−１と、吐水部材６に設けた通水孔８を介して、散水孔１１から霧状に苗に通水される。
【００２０】
なお、水導入管２に嵌入した吐水部材（６、１２、１３）の貫通孔と水導入
水導入管２に設ける通水孔（４−１、４−２、４−３）の位置により、吐水部（６、１２、１３）のノズルヘッドの位置を調整できるので、苗ポットの形状に合わせて、適宜調整すればよい。例えば、通水孔（４−１、４−２、４−３）の中心軸を例えば３０〜９０度の角度でづらしながら設けることにより、各ノズルヘッドの間隔を調整することができる。
【００２１】
本発明の散水器は、上記構造を有しているため、水導入管２に設けた通水孔と、吐水部材に設けた通水孔が重なり合わないと散水できないため、散水可能な位置が一目で分かるように、水導入管と吐水部材に目印となるラインを設けたり、通水孔が重なり合う位置で、クリック感が得られるように、水導入管もしくは吐水部材に、クリック手段を設けてもよい。
【００２２】
図４は、本発明の散水器を使用して、苗ポットに散水する状態を説明するための図である。
【００２３】
図４は、３列の苗ポットに散水するために、吐水部材の位置を約３０度づつずらした例である。
【００２４】
図４に示したように、一度に３列づつ散水することができるので、散水に要する時間は約１／３となり、苗の散水作業に要する労力を大幅に軽減できる。
【００２５】
本発明の散水器を用いて、散水作業を行うためには、本発明の散水器をホース等に接続して散水する方法や、本発明の散水器にトリガーを設けて、手元の操作で、散水を断続させる方法等がある。
【００２６】
【発明の効果】
本発明の散水器は、複数の回動可能なノズルヘッドを有しているため、複数の苗に同時に散水することができるので、苗の散水に要する時間を短縮することができ、苗の散水作業を大幅に軽減することができる。
【図面の簡単な説明】
【図１】本発明の散水器の分解斜視図。
【図２】吐水部材の拡大断面図。
【図３】本発明の散水器の全体斜視図。
【図４】本発明の散水器の使用例を説明する説明図。
【符号の説明】
１　散水器
２　水導入管
４−１、４−２、４−３　通水孔
５−１、５−２、５−３、５−４　オーリング
６、１２、１３　吐水部材
【図１】
2004024075.tif 000003
【図２】
2004024075.tif 000004
【図３】
2004024075.tif 000005
【図４】
2004024075.tif 000006